(57)【要約】 【課題】装飾性を長く維持させるとともに比較的柔軟性のあるワークに一体固定可能な装飾ワッシャを得る。【解決手段】比較的柔軟なワーク３０に固定されるとともに装飾性を有するワッシャにおいて、ワッシャ２０の表面２０ａに光が照射されると反射する反射材１２を有する透明反射体１０を所定間隔をおいて複数固定し、透明反射体１０を固定した夫々のワッシャ２０の裏面２０ｂに複数個の突部２５を形成し、ワーク３０に対してワッシャ２０が廻らないようにした装飾ワッシャであるので、皮革などの比較的柔らかい被締結物に固定すると、突部がしっかりと被締結物に固定される。このため、ランドセルを長く使用しても、装飾ワッシャが回転することなく、長く装飾性を維持することができる。また、このように留め金具が廻らないので、ランドセルの皮革が締結部材などで傷が付くこともない。【選択図】図１
2008185198.tif 000002
【特許請求の範囲】
【請求項１】
比較的柔軟なワーク（３０）に固定されるとともに装飾性を有するワッシャであって、ワッシャ（２０）の表面（２０ａ）に光が照射されると反射する反射材（１２）を有する透明反射体（１０）を所定間隔をおいて複数固定し、この透明反射体を固定した夫々のワッシャの裏面（２０ｂ）に複数個の突部（２５）を形成し、ワークに対してワッシャが廻らないようにしたことを特徴とする装飾ワッシャ。
【請求項２】
ワッシャは樹脂材製であって、ワークに締結部材で固定されていることを特徴とする請求項１記載の装飾ワッシャ。
【請求項３】
透明反射体はその後部がワッシャの平坦な裏面から突出しているとともにこの後部はワッシャの裏面で覆われて突部をなす構成であることを特徴とする請求項１又は２記載の装飾ワッシャ。
【請求項４】
突部は樹脂材からなる本体部（２１）に形成され、これの裏面から後方へ複数個錐状に突出した構成であることを特徴とする請求項１、２又は３記載の装飾ワッシャ。
【発明の詳細な説明】
【技術分野】
【０００１】
本発明は、被締結物として比較的柔軟なワークの表面にリベットあるいはねじなどの締結部材で固定されるワッシャであって、特に、ワッシャ表面に装飾を施し、これが締結部材を中心にワークに対して回転しないように固定される装飾ワッシャに関する。
【背景技術】
【０００２】
鞄やバッグ等の皮革製品において、特に小学生が通学に使用するランドセルはその年の流行によりワンポイント的な装飾が施されたものが多くある。また、最近の交通事情から通学時の交通事故を防ぐためにもランドセルに反射材を付けたりして自動車の運転手が早期に気づくようにしたものが多い。
【０００３】
このような背景から最近では種々のものが開発され使用されているが、高い有効性を有するとの評価を得られるものが少なく、夕方などの薄暗い状態においては、見落としたりするなどの危険性が依然として残っている。このようなことを少しでも解消するとともに装飾性を有するものとして最近では実用新案登録第３０２３１２１号公報に示すような雄部材として装飾性を有するリベットが採用されている。これは図１０に示すようなリベット１０１であり、このリベット１０１を固定する雌部材１３２とともにランドセルなどの鞄に対して、リベット１０１の頭部１０３が表面に露出する状態に取り付ける留め金具であって、この止め金具を構成するリベット１０１の頭部１０３に、着色されかつ蛍光体等を含有して発光性を有するか、もしくは光反射性を有する飾り片１１０を止着したものである。
【特許文献１】実用新案登録第３０２３１２１号公報
【発明の開示】
【発明が解決しようとする課題】
【０００４】
しかしながら、被締結物としての皮革に締結部材としてのリベットを貫挿させて反対側にあるかしめ部片である雌部材にかしめた場合、製品としてランドセルを完成させたときには何ら問題はないが、このランドセルを長く使用したり、また皮革は比較的柔軟性を有していることからこの留め金具が回転するようになり、装飾性に支障をきたしている。特に、留め金具の頭部表面外周が円形であれば装飾性においては何ら支障はないが、外周が円形以外例えば、星形、菱形、楕円あるいはリボン型などの形状であると、これが少しでも廻るとその装飾性が失われている。また、このように留め金具が廻るようになると、ランドセルの皮革に留め金具で傷が付き、傷むこともある。更に、回転することで締結部材にも弛みやガタ付きが発生し、皮革から脱落するなどの課題が生じている。
【０００５】
本発明の目的は、このような課題を解消して装飾性を長く維持させるとともに比較的柔軟性のあるワークに一体固定可能な装飾ワッシャを得ることである。
【課題を解決するための手段】
【０００６】
本発明の目的は、比較的柔軟なワーク３０に固定されるとともに装飾性を有するワッシャ２０であって、ワッシャ２０の表面２０ａに光が照射されると反射する反射材１２を有する透明反射体１０を所定間隔をおいて複数固定し、この透明反射体１０を固定した夫々のワッシャ２０の裏面２０ｂに複数個の突部２５を形成し、ワーク３０に対してワッシャ２０が廻らないようにした装飾ワッシャを提供することで達成される。
【０００７】
また、この構成に加えて、ワッシャは樹脂材製であって、ワーク３０に締結部材で固定されている装飾ワッシャであり、更に、これら構成において、透明反射体はその後部がワッシャ２０の平坦な裏面２０ｂから突出しているとともにこの後部はワッシャ２０の裏面２０ｂで覆われて突部２５をなす構成であるので、これをかしめ固定したとき被締結物としての皮革を押圧することになり、ワッシャと皮革とが一体になりやすい。しかも、突部は樹脂材からなる本体部２１に形成され、これの裏面２０ｂから後方へ複数個錐状に突出した構成であることから、より確実な廻り止め作用が得られる。
【発明の効果】
【０００８】
本発明によれば、皮革などの比較的柔らかい被締結物に締結部材で装飾ワッシャを固定すると、突部がしっかりと被締結物に固定されるので、ランドセルなどの鞄に所定方向を維持した状態で固定することができ、このランドセルを長く使用しても、また柔軟性を有する皮革に使用しても装飾ワッシャが回転することがなく、長く装飾性を維持することができる。特に、外周が例えば、星形、菱形、矩形、楕円あるいはリボン型などの形状であっても、これの方向性は締結部材を中心に廻ることが解消されてその装飾性は失われることがない。また、従来のように留め金具が廻らないので、ランドセルの皮革が締結部材などで傷が付くこともない。更に、回転しないので、締結部材にも弛みやガタ付きが発生しにくく、皮革から脱落することも解消されるなどの特有の効果がある。
【発明を実施するための最良の形態】
【０００９】
以下、本発明の実施の形態を図１乃至図９に基づき説明する。図１、図２及び図５において、１は脚部２を有し、一端に脚部２と一体でこれより大径の頭部３を有する締結部材としてのリベットであり、このリベット１の頭部３の中心線上には透明で半球形状の後部に反射材１２が塗布され且つ前面が半球形状のガラス体などの透明反射体１０が埋設されている。このリベット１の頭部３の中心から頭部３の外周にかけてはその表面が円錐形状の斜面となっており、この円錐状の斜面には等間隔をおいて放射状の溝６が形成されて装飾性をもたせている。その上、前記頭部３の座面７には中心側から放射状に延びたセレーション７ａが形成されている。この座面７から延びる脚部２は頭部側が大径で脚部側が小径な段付き軸状となっており、この小径部４には有底中空穴形状の有底孔８が形成されている。
【００１０】
また、前記脚部２の大径部５には半球形状となった後部に反射材１２を塗布した透明反射体１０が一体成形されてその胴部１１が位置している。そして、この透明反射体１０の前面の形状は半球形状となっていることから、光が照射されると、集光され後部の反射材１２によりその光を反射させる構成である。
【００１１】
一方、このリベット１の脚部２は樹脂材を射出成形して本体部２１が形成されたワッシャ２０にあらかじめあけられている貫通穴２２に貫挿されるようになっている。このワッシャ２０は図３及び図４に示すように、装飾性を有するようにその外形が五角形の星形状に形成してあり、その中心には前記リベット１の脚部２が貫挿される貫通穴２２が形成されている。この貫通穴２２はリベット１の頭部座面７に連続する大径部５が嵌る大きさで、ワッシャ２０の表面側には前記リベット１の頭部径が嵌るようにワッシャ２０の厚みの１／３程度の深さの段付き穴形状となっている。この段付き穴形状の段付き有底面２３にはセレーション２３ａが形成してあり、これに接するリベット１の座面７に形成された前記セレーション７ａとの間で円周方向の滑りを阻止するようになっている。
【００１２】
更に、この装飾性を有するように外周が星形形状に形成された装飾ワッシャ２０には星形形状の放射方向に位置する突出部片２４の基部近くに前記リベット１と同様に図６に示すように、半球形状となった後部に反射材１２を塗布した透明のガラス体などの透明反射体１０が所定間隔をおいて複数個その胴部１１が一体となるよう埋設されて固定されている。この透明反射体１０の前面も半球形状となって装飾ワッシャ２０の表面２０ａから突出しており、これに光が照射されると、集光され後部に塗布されている反射材１２によりその光を反射させる構成である。尚、この透明反射体１０はワッシャ２０の本体部２１となる樹脂材を射出成形する際に熱により溶けたり、変形することのないものである。一方、前記透明反射体１０の後部は一部が前記ワッシャ２０の裏面２０ｂを形成する樹脂材で覆われており、ワッシャ２０の裏面２０ｂから透明反射体１０の後部は後方へ僅か突出して突部２５を形成している。即ち、このワッシャ２０の平坦な裏面２０ｂからの突部２５は透明反射体１０の数だけ形成されるようになっている。
【００１３】
このようにして得られた装飾性を有するワッシャ２０はこの実施の形態のように星形に限定されることはなく、例えば、図９に示すように中心部に対して周囲の二方向が広いリボン形状であってもよく、この他にも四角、菱形、あるいは六角形状等の他の形状であってもよい。しかも、これらの形状のワッシャ２０の本体部２１にはこれに合わせて所望個数の透明反射体１０を裏面２０ｂが僅か後方へ突出した状態で一体成形することで、その装飾性を付与することができ、ワッシャ２０の形状に合わせて任意の位置に設定できるものである。
【００１４】
尚、この実施の形態では締結部材としてリベット１により説明したが、これに代えて前記透明で反射可能な透明反射体１０を除いたねじ（図示せず）を使用してねじに螺合するナット（図示せず）によりワーク３０にワッシャ２０を固定するようにしてもよい。
【００１５】
このように構成された装飾ワッシャを固定する作業は図７に示すように、あらかじめ被締結物としての比較的柔軟なワーク３０である皮革の所定位置にあけられている締結穴３１に対してワッシャをこれの裏面２０ｂをワーク側にしてその位置に位置決め配置した後、続いてワッシャ２０の貫通穴２２にワッシャの表面２０ａの方向からリベット１の脚部２を挿入する。このリベット１は脚部２の径より大きくリベット１が挿入された状態においてワッシャ２０の裏面２０ｂから突出しない程度の厚さ即ち、ワッシャ２０の貫通穴２２にほぼ合致して嵌る径であって、リベット１の頭部座面７が接する段付き有底面２３からワッシャ２０の裏面２０ｂまでの厚みと同程度の長さの大径部５を有しており、ワッシャ２０にリベット１の脚部２が挿入されると、この脚部２の小径部４はワッシャ２０及びワーク３０から突き出されることになる。
【００１６】
このようになることから、かしめ機（図示せず）によりこれらをワーク３０に固定する作業において、受け台（図示せず）にリベット１の脚部２がかしめられる締結補助部材３２を載置し、これにワーク３０とワッシャ２０を挟んだ状態でリベット１の頭部３を加圧すると、リベット１の脚部２は締結補助部材３２の収納穴３２ａにおいて広がりかしめられる。このとき、リベット１の頭部座面７はワッシャ２０の貫通穴２２の段付き有底面２３に接触し互いのセレーション７ａ、２３ａが係合して、ワッシャ２０の裏面２０ｂはワーク３０に圧接され、突部２５はワーク３０に没入してかしめ作業が完了する。これにより、ワーク３０に対してワッシャ２０とリベット１は一体となり、リベット１及びワッシャ２０はワーク３０に対して廻ることがなくなる。
【００１７】
また、図８は本発明のもう一つの実施の形態であり、これは前記ワッシャ２０の裏面２０ｂから突出している透明反射体１０からなる突部２５に加えて樹脂材製の本体部２１の等間隔をおいた所定位置に、円錐状あるいは角錐状の突部２５を複数個突出形成し、リベット１を加圧したときにワーク３０にこの錐状の突部２５も没入するようにすることで、より確実なワッシャ２０の廻り止め作用が得られるものである。
【図面の簡単な説明】
【００１８】
【図１】本発明の実施の形態を示す要部断面正面図である。
【図２】図１の側面図である。
【図３】本発明に係る装飾ワッシャの拡大側面図である。
【図４】図３の一部断面正面図である。
【図５】本発明に使用するリベットの要部断面拡大正面図である。
【図６】本発明の要部拡大部分正面図である。
【図７】本発明のかしめ状態を示す正面図である。
【図８】本発明の他の実施の形態を示す要部断面正面図である。
【図９】本発明のもう一つの実施の形態を示す側面図である。
【図１０】従来例を示す要部断面正面図である。
【符号の説明】
【００１９】
１    リベット
２    脚部
３    頭部
４    小径部
５    大径部
６    溝
７    頭部座面
７ａ  セレーション
８    有底孔
１０    透明反射体
１１    胴部
１２    反射材
２０    ワッシャ
２０ａ  表面
２０ｂ  裏面
２１    本体部
２２    貫通穴
２３    段付き有底面
２３ａ  セレーション
２４    突出部片
２５    突部
３０    ワーク
３１    締結穴
３２    締結補助部材
３２ａ  収納穴
【図１】
2008185198.tif 000003
【図２】
2008185198.tif 000004
【図３】
2008185198.tif 000005
【図４】
2008185198.tif 000006
【図５】
2008185198.tif 000007
【図６】
2008185198.tif 000008
【図７】
2008185198.tif 000009
【図８】
2008185198.tif 000010
【図９】
2008185198.tif 000011
【図１０】
2008185198.tif 000012
【手続補正書】
【提出日】平成19年2月9日(2007.2.9)
【手続補正１】
【補正対象書類名】明細書
【補正対象項目名】０００９
【補正方法】変更
【補正の内容】
【０００９】
以下、本発明の実施の形態を図１乃至図９に基づき説明する。図１、図２及び図５において、１は脚部２を有し、一端に脚部２と一体でこれより大径の頭部３を有する締結部材としてのリベットであり、このリベット１の頭部３の中心線上には透明で断面円弧形状の後部に反射材１２が塗布され且つ前面が半球形状のガラス体などの透明反射体１０が埋設されている。このリベット１の頭部３の中心から頭部３の外周にかけてはその表面が円錐形状の斜面となっており、この円錐状の斜面には等間隔をおいて放射状の溝６が形成されて装飾性をもたせている。その上、前記頭部３の座面７には中心側から放射状に延びたセレーション７ａが形成されている。この座面７から延びる脚部２は頭部側が大径で脚部側が小径な段付き軸状となっており、この小径部４には有底中空穴形状の有底孔８が形成されている。
【手続補正２】
【補正対象書類名】明細書
【補正対象項目名】００１０
【補正方法】変更
【補正の内容】
【００１０】
また、前記脚部２の大径部５には断面円弧形状となった後部に反射材１２を塗布した透明反射体１０が一体成形されてその胴部１１が位置している。そして、この透明反射体１０の前面の形状は半球形状となって前記リベット１の頭部３から僅か突出していることから、その頭部３に光が照射されると、集光され後部の反射材１２によりその光を反射させる構成である。
【手続補正３】
【補正対象書類名】明細書
【補正対象項目名】００１２
【補正方法】変更
【補正の内容】
【００１２】
更に、この装飾性を有するように外周が星形形状に形成された装飾ワッシャ２０には星形形状の放射方向に位置する突出部片２４の基部近くに前記リベット１と同様に図６に示すように、断面円弧形状となった後部に反射材１２を塗布した透明のガラス体などの透明反射体１０が所定間隔をおいて複数個その胴部１１が一体となるよう埋設されて固定されている。この透明反射体１０の前面も半球形状となって装飾ワッシャ２０の本体部２１の表面２０ａから突出しており、これに光が照射されると、集光され後部に塗布されている反射材１２によりその光を反射させる構成である。尚、この透明反射体１０はワッシャ２０の本体部２１となる樹脂材を射出成形する際に熱により溶けたり、変形することのないものである。一方、前記透明反射体１０の後部は一部が前記ワッシャ２０の裏面２０ｂを形成する樹脂材で覆われており、ワッシャ２０の裏面２０ｂから透明反射体１０の後部は後方へ僅か突出して突部２５を形成している。即ち、このワッシャ２０の平坦な裏面２０ｂからの突部２５は透明反射体１０の数だけ形成されるようになっている。
【手続補正４】
【補正対象書類名】明細書
【補正対象項目名】００１３
【補正方法】変更
【補正の内容】
【００１３】
このようにして得られた装飾性を有するワッシャ２０はこの実施の形態のように星形に限定されることはなく、例えば、図９に示すように中心部に対して周囲の二方向が広いリボン形状であってもよく、この他にも四角、菱形、あるいは六角形状等の他の形状であってもよい。しかも、これらの形状のワッシャ２０の本体部２１にはこれに合わせて所望個数の透明反射体１０を表面２０ａからその前面が前方へ、裏面２０ｂから突部２５が僅か後方へ、夫々突出した状態となるように一体成形することで、その装飾性を付与することができ、ワッシャ２０の形状に合わせて任意の位置に設定できるものである。